(57)【要約】【課題】  それぞれの音声再生装置が備える複数のデジタル音声信号入力端子を有効に活用し、一方の音声再生装置が備える音質的に優れるデジタル／アナログ変換回路を利用可能にしたうえでシステム連動動作を実現する音声再生システムを提供する。【解決手段】  操作部へのユーザー操作に基づいていずれか一つのデジタル音声信号入力端子が選択された場合に、第１制御部および第２制御部が、選択されたデジタル音声信号入力端子からのデジタル音声信号を第１デジタル／アナログ変換部に出力するように第１デジタル音声受信部ならびに第２デジタル音声受信部を制御し、第２制御部が、アナログ音声入力端子からの入力信号を選択するようにアナログ信号選択部を制御する。【選択図】  図１
2015154231.tif 000002
【特許請求の範囲】
【請求項１】
複数の第１デジタル音声信号入力端子が接続される第１デジタル音声受信部と、該第１デジタル音声受信部の動作を制御する第１制御部と、該第１制御部に接続する第１制御信号端子と、該第１デジタル音声受信部の出力信号をアナログ音声信号に変換する第１デジタル／アナログ変換部と、該第１デジタル／アナログ変換部の出力信号を出力するアナログ音声出力端子と、を少なくとも備える第１音声再生装置と、
複数の第２デジタル音声信号入力端子が接続される第２デジタル音声受信部と、該第２デジタル音声受信部の出力信号を出力するデジタル音声出力端子と、該第２デジタル音声受信部の出力信号をアナログ音声信号に変換する第２デジタル／アナログ変換部と、アナログ音声信号が入力されるアナログ音声入力端子と、該第２デジタル／アナログ変換部からの入力信号と該アナログ音声入力端子からの入力信号とを切り替えて増幅回路部に出力するアナログ信号選択部と、該第２デジタル音声受信部ならびに該アナログ信号選択部の動作を制御する第２制御部と、該第２制御部に接続する第２制御信号端子と、を少なくとも備える第２音声再生装置と、を含み、
該第１音声再生装置または該第２音声再生装置の少なくとも一方が、ユーザー操作を該第２制御部へ入力する操作部と、該第２制御部が生成する表示情報を表示する表示部と、を備え、
該第１音声再生装置の一の該第１デジタル音声信号入力端子と該第２音声再生装置の該デジタル音声出力端子とを接続し、該第１音声再生装置の該アナログ音声出力端子と該第２音声再生装置の該アナログ音声入力端子とを接続し、該第１制御信号端子と該第２制御信号端子とを接続して該第１制御部および該第２該制御部が通信することにより相互に認識して動作する音声再生システムであって、
該第１制御部または該第２制御部が、デジタル音声信号入力が可能な複数の入力端子として該第２音声再生装置の該デジタル音声出力端子が接続された該第１デジタル音声信号入力端子を除いた該第１デジタル音声信号入力端子および該第２デジタル音声信号入力端子のなかからいずれか一つを選択可能であることを該表示部に表示し、
該操作部への該ユーザー操作に基づいていずれか一つのデジタル音声信号入力端子が選択された場合に、該第１制御部および該第２制御部が、選択された該デジタル音声信号入力端子からのデジタル音声信号を該第１デジタル／アナログ変換部に出力するように該第１デジタル音声受信部ならびに該第２デジタル音声受信部を制御し、該第２制御部が、該アナログ音声入力端子からの入力信号を選択するように該アナログ信号選択部を制御する、
音声再生システム。
【請求項２】
前記第１制御部または前記第２制御部が、前記第１音声再生装置の前記アナログ音声出力端子が接続される前記第２音声再生装置の前記アナログ音声入力端子を前記操作部へのユーザー操作に基づいて選択できないことを、前記表示部に表示する、
請求項１に記載の音声再生システム。
【請求項３】
請求項１または２に記載の音声再生システムにおける前記第１音声再生装置。
【請求項４】
請求項１または２に記載の音声再生システムにおける前記第２音声再生装置。
【請求項５】
前記第２制御部が、前記第１音声再生装置と前記第２音声再生装置とが接続して動作していないと判断する場合には、前記アナログ音声入力端子を前記操作部へのユーザー操作に基づいて選択可能に前記表示部に表示する、
請求項２に記載の音声再生システムにおける前記第２音声再生装置。
【発明の詳細な説明】
【技術分野】
【０００１】
本発明は、複数の音声再生装置から構成される音声再生システムに関し、特に、それぞれの音声再生装置が備える複数のデジタル音声信号入力端子を有効に活用し、一方の音声再生装置が備える音質的に優れるデジタル／アナログ変換回路を利用可能にするシステム連動動作を実現する音声再生システムに関する。
【背景技術】
【０００２】
ＣＤプレイヤー、あるいは、ＤＶＤプレイヤー、等の音響再生装置、または、ＨＤＤビデオレコーダー、等の映像記録再生装置、などを含むコンテンツ再生装置は、アンプ装置などに接続されて、音声再生システムを構成するようにして使用される。アンプ装置は、複数のコンテンツ再生装置との接続を切り換えるセレクタを備えており、ユーザー操作によりセレクタを切り換えることで、例えば、スピーカーあるいはヘッドホンから音声出力すべき音声信号を供給するコンテンツ再生装置を選択することができる。
【０００３】
コンテンツ再生装置の音声信号出力は、デジタル音声信号とアナログ音声信号とに大別できる。コンテンツ再生装置は、デジタル音声信号出力端子とアナログ音声信号出力端子とを備えているもの多く、内部にデジタル音声信号をアナログ音声信号に変換するデジタル／アナログ変換回路を備えている。一方で、ディスクドライブ等の駆動回路を備えないデジタル／アナログ・コンバータ（ＤＡＣ）装置は、デジタル音声信号に対応する複数のデジタル音声信号入力端子と、デジタル音声受信部と、デジタル／アナログ変換回路部と、アナログ音声出力端子と、を備えている。ＤＡＣ装置は、他の機器よりも音質的に優れるデジタル／アナログ変換回路部を含むので、デジタル音声信号をアナログ音声に変換する場合には、ＤＡＣ装置を利用して音声再生システムを構成するのが好ましい場合がある。
【０００４】
一方、アンプ装置は、デジタル音声信号に対応する複数のデジタル音声信号入力端子と、アナログ音声信号に対応する複数のアナログ音声信号入力端子と、を備えている。アンプ装置もまた、デジタル音声信号をアナログ音声信号に変換するデジタル／アナログ変換回路を内部に備えている。アンプ装置は、コンテンツ再生装置ならびにＤＡＣ装置とのシステム連動動作を可能にするように、コンテンツ再生装置ならびにＤＡＣ装置と制御信号を送受信する制御線で接続されているものがある。制御線は、映像／音声信号を伝送する信号線と一体になっているＨＤＭＩ（登録商標）（High-Definition Multimedia Interface）等の場合の他に、独立した信号線で接続する場合、あるいは、無線通信で相互に接続されている場合、等を含む。アンプ装置は、操作パネルの入力ボタンを含む入力インターフェイスによる操作入力の他に、リモコン信号による操作入力を受けて、コンテンツ再生装置ならびにＤＡＣ装置に制御信号を送信することが可能である。
【０００５】
しかしながら、アンプ装置から見ると、コンテンツ再生装置ならびにＤＡＣ装置とのシステム連動動作が可能な場合であっても、アンプ装置のデジタル入力端子に接続されたコンテンツ再生装置は、音質的に優れるＤＡＣ装置のデジタル／アナログ変換回路部を利用できない不利な点がある。ＤＡＣ装置を利用するには、アンプ装置のデジタル入力端子に接続されたコンテンツ再生装置のデジタル音声信号出力を、ＤＡＣ装置のデジタル音声信号入力端子に接続するように接続を変更すればよいが、その場合には、アンプ装置のデジタル入力端子が空いてしまって無駄になり、一方でＤＡＣ装置のデジタル音声信号入力端子が不足しやすくなるという問題がある。
【０００６】
例えば、従来には、入力ソースの選択操作を容易に行うことができる画像再生システムとして、画像信号を伝送するための画像信号線と制御信号を伝送するための制御線とを含む所定の接続ケーブルが接続され、前記接続ケーブルを介して信号を入力するための第１の入力端子と、前記第１の入力端子から入力される画像信号を出力する表示手段とを有するディスプレイ装置と、前記第１の入力端子と同一種類の１以上の第２の入力端子と、前記接続ケーブルが接続され、前記接続ケーブルを介して信号を出力するための第１の出力端子と、前記第２の入力端子から入力される画像信号に所定の処理を行なった後、前記第１の出力端子に出力する処理手段とを有する信号処理装置と、前記画像信号を生成する画像生成手段と、前記画像生成手段で生成された画像信号が出力される、前記第１の出力端子と同一種類の第２の出力端子とを有する１以上の画像信号生成装置とを含み、前記第１の入力端子と前記第１の出力端子との間と前記信号処理装置の各第２の入力端子と各画像信号生成装置の第２の出力端子との間がそれぞれ前記接続ケーブルで接続されている画像再生システムであって、前記ディスプレイ装置は、前記第１の入力端子に設定されたソース番号を記憶するソース番号記憶手段と、前記第１の入力端子に設定された物理アドレスが記憶され、前記信号処理装置が前記制御信号を用いて前記物理アドレスを読み取ることができるアドレス記憶手段と、前記信号処理装置から送信される当該信号処理装置に設定された物理アドレスを受信し、前記信号処理装置の物理アドレスを認識するアドレス認識手段と、前記信号処理装置から送信される、当該信号処理装置の各第２の入力端子に設定された入力端子番号及び各第２の入力端子に接続された前記画像信号生成装置の名称と入力端子数とを含む入力端子情報を受信する入力端子情報受信手段と、前記信号処理装置の物理アドレスを用いて所定の演算式により当該信号処理装置が接続された第１の入力端子のソース番号を算出し、この算出したソース番号と前記入力端子情報とを用いて、前記１以上の画像信号生成装置の名称を前記入力端子番号に基づいて配列した画面を作成し、この作成した画面をユーザに前記表示手段に出力させる画像信号を選択させるための入力選択画面として前記表示手段に表示する入力選択画面表示手段と、を備え、前記信号処理装置は、前記入力端子情報を記憶する入力端子情報記憶手段と、前記制御信号を用いて前記アドレス記憶手段から前記第１の入力端子の物理アドレスを読み取るアドレス読取手段と、前記アドレス読取手段で読み取られた物理アドレスを自己の物理アドレスとして設定するとともに、前記ディスプレイ装置に送信するアドレス送信手段と、前記入力端子情報記憶手段から前記入力端子情報を読み出し前記ディスプレイ装置に返送する端子情報返送手段と、を備えることを特徴とする、画像再生システムがある（特許文献１）。
【０００７】
【特許文献１】特許第４３８８９６８号公報
【発明の概要】
【発明が解決しようとする課題】
【０００８】
本発明は、上記の従来技術が有する問題を解決するためになされたものであり、その目的は、複数の音声再生装置から構成される音声再生システムに関し、特に、それぞれの音声再生装置が備える複数のデジタル音声信号入力端子を有効に活用し、一方の音声再生装置が備える音質的に優れるデジタル／アナログ変換回路を利用可能にしたうえでシステム連動動作を実現する音声再生システムを提供することにある。
【課題を解決するための手段】
【０００９】
本発明の音声再生システムは、複数の第１デジタル音声信号入力端子が接続される第１デジタル音声受信部と、第１デジタル音声受信部の動作を制御する第１制御部と、第１制御部に接続する第１制御信号端子と、第１デジタル音声受信部の出力信号をアナログ音声信号に変換する第１デジタル／アナログ変換部と、第１デジタル／アナログ変換部の出力信号を出力するアナログ音声出力端子と、を少なくとも備える第１音声再生装置と、複数の第２デジタル音声信号入力端子が接続される第２デジタル音声受信部と、第２デジタル音声受信部の出力信号を出力するデジタル音声出力端子と、第２デジタル音声受信部の出力信号をアナログ音声信号に変換する第２デジタル／アナログ変換部と、アナログ音声信号が入力されるアナログ音声入力端子と、第２デジタル／アナログ変換部からの入力信号とアナログ音声入力端子からの入力信号とを切り替えて増幅回路部に出力するアナログ信号選択部と、第２デジタル音声受信部ならびにアナログ信号選択部の動作を制御する第２制御部と、第２制御部に接続する第２制御信号端子と、を少なくとも備える第２音声再生装置と、を含み、第１音声再生装置または第２音声再生装置の少なくとも一方が、ユーザー操作を第２制御部へ入力する操作部と、第２制御部が生成する表示情報を表示する表示部と、を備え、第１音声再生装置の一の第１デジタル音声信号入力端子と第２音声再生装置のデジタル音声出力端子とを接続し、第１音声再生装置のアナログ音声出力端子と第２音声再生装置のアナログ音声入力端子とを接続し、第１制御信号端子と第２制御信号端子とを接続して第１制御部および第２制御部が通信することにより相互に認識して動作する音声再生システムであって、第１制御部または第２制御部が、デジタル音声信号入力が可能な複数の入力端子として第２音声再生装置のデジタル音声出力端子が接続された第１デジタル音声信号入力端子を除いた第１デジタル音声信号入力端子および第２デジタル音声信号入力端子のなかからいずれか一つを選択可能であることを表示部に表示し、操作部へのユーザー操作に基づいていずれか一つのデジタル音声信号入力端子が選択された場合に、第１制御部および第２制御部が、選択されたデジタル音声信号入力端子からのデジタル音声信号を第１デジタル／アナログ変換部に出力するように第１デジタル音声受信部ならびに第２デジタル音声受信部を制御し、第２制御部が、アナログ音声入力端子からの入力信号を選択するようにアナログ信号選択部を制御する。
【００１０】
好ましくは、本発明の音声再生システムは、第２制御部が、第１音声再生装置のアナログ音声出力端子が接続される第２音声再生装置のアナログ音声入力端子を操作部へのユーザー操作に基づいて選択できないことを、表示部に表示する。
【００１１】
また、好ましくは、本発明の音声再生装置は、上記の音声再生システムにおける第１音声再生装置である。
【００１２】
また、好ましくは、本発明の音声再生装置は、上記の音声再生システムにおける第２音声再生装置である。
【００１３】
また、好ましくは、本発明の音声再生装置は、上記の音声再生システムにおける第２音声再生装置であり、第１音声再生装置と第２音声再生装置とが接続して動作していないと判断する場合には、アナログ音声入力端子を操作部へのユーザー操作に基づいて選択可能に表示部に表示する。
【００１４】
以下、本発明の作用について説明する。
【００１５】
本発明の音声再生システムは、第１音声再生装置および第２音声再生装置を含んで構成される。第１音声再生装置は、複数の第１デジタル音声信号入力端子が接続される第１デジタル音声受信部と、第１デジタル音声受信部の動作を制御する第１制御部と、第１制御部に接続する第１制御信号端子と、第１デジタル音声受信部の出力信号をアナログ音声信号に変換する第１デジタル／アナログ変換部と、第１デジタル／アナログ変換部の出力信号を出力するアナログ音声出力端子と、を少なくとも備える。第２音声再生装置は、複数の第２デジタル音声信号入力端子が接続される第２デジタル音声受信部と、第２デジタル音声受信部の出力信号を出力するデジタル音声出力端子と、第２デジタル音声受信部の出力信号をアナログ音声信号に変換する第２デジタル／アナログ変換部と、アナログ音声信号が入力されるアナログ音声入力端子と、第２デジタル／アナログ変換部からの入力信号とアナログ音声入力端子からの入力信号とを切り替えて増幅回路部に出力するアナログ信号選択部と、第２デジタル音声受信部ならびにアナログ信号選択部の動作を制御する第２制御部と、第２制御部に接続する第２制御信号端子と、を少なくとも備える。また、第１音声再生装置または第２音声再生装置の少なくとも一方が、ユーザー操作を入力する操作部と、第２制御部が生成する表示情報を表示する表示部と、を備える。
【００１６】
第１音声再生装置は、好ましくは、音質的に優れる第１デジタル／アナログ変換回路部を備えるＤＡＣ装置であり、第２音声再生装置は、好ましくは、増幅回路部を備えるアンプ装置である。したがって、第１音声再生装置の一の第１デジタル音声信号入力端子と第２音声再生装置のデジタル音声出力端子とを接続し、第１音声再生装置のアナログ音声出力端子と第２音声再生装置のアナログ音声入力端子とを接続し、第１制御信号端子と第２制御信号端子とを接続して、第１制御部および第２制御部が通信することにより相互に認識して動作する音声再生システムを構成することができる。
【００１７】
ここで、本発明の音声再生システムでは、第１制御部または第２制御部は、デジタル音声信号入力が可能な複数の入力端子として第２音声再生装置のデジタル音声出力端子が接続された第１デジタル音声信号入力端子を除いた第１デジタル音声信号入力端子および第２デジタル音声信号入力端子のなかからいずれか一つを選択可能であることを表示部に表示する。したがって、操作部へのユーザー操作に基づいていずれか一つのデジタル音声信号入力端子が選択された場合に、第１制御部および第２制御部は、選択されたデジタル音声信号入力端子からのデジタル音声信号を第１デジタル／アナログ変換部に出力するように第１デジタル音声受信部ならびに第２デジタル音声受信部を制御し、第２制御部が、アナログ音声入力端子からの入力信号を選択するようにアナログ信号選択部を制御する。つまり、入力信号として選択されたデジタル音声信号は、それが例え第２音声再生装置の第２デジタル音声信号入力端子に入力されるデジタル音声信号であっても、第２デジタル音声受信部から第１デジタル音声受信部を経て第１デジタル／アナログ変換部に入力されてアナログ音声信号に変換される。このアナログ音声信号は、第１音声再生装置のアナログ音声出力端子から出力されて第２音声再生装置のアナログ音声入力端子に入力される。
【００１８】
その結果、本発明の音声再生システムでは、第１音声再生装置並びに第２音声再生装置が備える複数のデジタル音声信号入力端子を有効に活用することができる。複数の第１デジタル音声信号入力端子が接続される第１デジタル音声受信部と、複数の第２デジタル音声信号入力端子が接続される第２デジタル音声受信部と、が仮想的にまとめられて実質的にデジタル音声信号の入力端子数が拡張されているので、第２音声再生装置のデジタル音声入力端子が空いてしまって無駄になることがない。また、音質的に優れる第１音声再生装置（ＤＡＣ装置）の第１デジタル／アナログ変換回路部を利用できるので、良好な音声再生を可能にするシステム連動動作を行う音声再生システムを実現することができる。
【００１９】
また、本発明の音声再生システムは、好ましくは、上記のようなシステム連動動作を行う場合には、第１制御部または第２制御部が、第１音声再生装置のアナログ音声出力端子が接続される第２音声再生装置のアナログ音声入力端子を操作部へのユーザー操作に基づいて選択できないことを、表示部に表示する。第２音声再生装置のアナログ信号選択部が、第２デジタル／アナログ変換部からの入力信号ではなく、アナログ音声入力端子からの入力信号を選択するように切り替えて、増幅回路部に出力するからである。その結果、ユーザーは、第２音声再生装置の第２デジタル音声信号入力端子に入力されるデジタル音声信号を入力信号に選択した場合に、第１音声再生装置の音質的に優れる第１デジタル／アナログ変換回路部を利用するシステム連動動作になっていることを理解しやすくなるとともに、アナログ信号選択部の操作が自動化されるので、確実に音声再生を行うことができる。
【００２０】
一方で、本発明の第２音声再生装置は、第１音声再生装置と第２音声再生装置とが接続して動作していないと判断する場合には、アナログ音声入力端子を操作部へのユーザー操作に基づいて選択可能に表示部に表示する。この場合には、第２音声再生装置のアナログ信号選択部は、アナログ音声入力端子からの入力信号ではなく、第２デジタル／アナログ変換部からの入力信号を選択するように切り替えて、増幅回路部に出力する。その結果、ユーザーは、第２音声再生装置の第２デジタル音声信号入力端子に入力されるデジタル音声信号を入力信号に選択した場合に、第２音声再生装置での通常の使用状態であり、第１音声再生装置の音質的に優れる第１デジタル／アナログ変換回路部を利用するシステム連動動作になっていないことを理解しやすくなる利点がある。
【発明の効果】
【００２１】
本発明の音声再生システムは、それぞれの音声再生装置が備える複数のデジタル音声信号入力端子を有効に活用し、一方の音声再生装置が備える音質的に優れるデジタル／アナログ変換回路を利用可能にして、システム連動動作を実現することができる。
【図面の簡単な説明】
【００２２】
【図１】本発明の好ましい実施形態による音声再生システム１について説明する図である。（実施例１）
【図２】本発明の好ましい実施形態による音声再生装置１０および２０の動作制御を説明するフローチャートである。（実施例２）
【図３】本発明の好ましい実施形態による音声再生装置１０および２０での表示制御を説明する図である。（実施例２）
【発明を実施するための形態】
【００２３】
以下、本発明の好ましい実施形態による音声再生システムおよびこれを構成する音声再生装置について説明するが、本発明はこれらの実施形態には限定されない。
【実施例１】
【００２４】
図１は、本発明の好ましい実施形態による音声再生装置を含む音声再生システム１について説明するブロック図である。音声再生システム１は、複数の音声再生装置２、３、１０および２０を含む。具体的には、音声再生装置２は、コンテンツ再生装置であるＣＤプレイヤー２であり、また、音声再生装置３は、ＤＶＤプレイヤー３である。また、音声再生装置１０は、デジタル／アナログ・コンバータ（ＤＡＣ）装置であり、音声再生装置２０は、増幅回路を含むアンプ装置である。音声再生システム１は、音声信号／データを電送する音声信号の接続線４〜７と、制御信号線８と、により相互に接続されている。なお、説明に不要な一部の構造や、内部構造等は、図示ならびに説明を省略している。
【００２５】
ＣＤプレイヤー２およびＤＶＤプレイヤー３は、（図示しない）ＣＤ（Compact Disc）あるいはＤＶＤ（Digital Versatile Disc）といったディスク記録媒体に記録されたコンテンツを再生するディスクプレイヤーであり、コンテンツ音声を音声信号として出力する。ＣＤプレイヤー２およびＤＶＤプレイヤー３は、それぞれデジタル音声信号出力端子２ａまたは３ａを備え、コンテンツ音声をデジタル音声信号のデータとして出力する。
【００２６】
ＤＡＣ装置１０は、後述する音質的に優れるデジタル／アナログ変換回路部１５を含み、デジタル音声信号をアナログ音声に変換する。ＤＡＣ装置１０からの出力であるアナログ音声信号は、接続線７を介してアンプ装置２０に出力される。また、アンプ装置２０は、ＤＡＣ装置１０を介したＣＤプレイヤー２、または、ＤＶＤプレイヤー３、および（図示しない）他の音声再生装置から入力される音声信号を増幅して、（図示しない）スピーカー又は（図示しない）ヘッドホンに出力することにより、コンテンツの音声を再生する。
【００２７】
本実施例では、ＣＤプレイヤー２のデジタル音声信号出力端子２ａは、ＤＡＣ装置１０が備える複数のデジタル音声信号入力端子１１のうちの一つに、接続線４により接続される。また、ＤＶＤプレイヤー３のデジタル音声信号出力端子３ａは、後述するアンプ装置２０が備える複数のデジタル音声信号入力端子２１のうちの一つに、接続線５により接続される。また、アンプ装置２０のデジタル音声出力端子２７は、ＤＡＣ装置１０のデジタル音声信号入力端子１１のうちの一つ１１ａに、接続線６により接続される。
【００２８】
音声信号の接続線４〜６は、デジタル音声信号を伝送する同軸ケーブル、光ケーブル、あるいは、ＨＤＭＩ（登録商標）のいずれかであれば良く、デジタル音声信号は、モノラル信号、左音声信号及び右音声信号からなるステレオ信号、３チャンネル以上の音声信号の組から成るマルチチャンネル信号を問わない。また、音声信号の接続線７は、アナログ音声信号を伝送する同軸ケーブルであるのが好ましく、平衡出力線であってもよい。
【００２９】
図示するＤＡＣ装置１０およびアンプ装置２０は、制御信号線８により接続されているので、音声再生システム１は、システム連動が可能になる。音声再生システム１は、ＣＤプレイヤー２およびＤＶＤプレイヤー３についても、（図示しない）制御信号線により相互に接続することで、システム連動が可能になる。
【００３０】
ＤＡＣ装置１０は、デジタル音声信号が入力される複数のデジタル音声信号入力端子１１と、これらのデジタル音声信号入力端子１１が接続されるデジタル音声受信部１２と、ＤＡＣ装置１０の動作を制御するマイコン１３と、マイコン１３に接続する制御信号端子１４と、デジタル音声受信部１２の出力信号をアナログ音声信号に変換するデジタル／アナログ変換回路１５と、デジタル／アナログ変換回路１５の出力信号を出力するアナログ音声出力端子１６と、を少なくとも備える。マイコン１３は、（図示しない）リモートコントローラーまたは（図示しない）操作入力回路またはアンプ装置２０からの操作信号を受けて、ＣＤプレイヤー２から出力されたデジタル音声信号が入力されるデジタル音声受信部１２の動作を制御する。
【００３１】
ＤＡＣ装置１０のデジタル音声受信部１２は、マイコン１３から制御されてデジタル音声信号の入力セレクタとして機能する。したがって、例えば、マイコン１３は、複数のデジタル音声信号入力端子１１のなかでＣＤプレイヤー２が接続される入力端子を、入力端子「ＣＤ」として認識することができる。デジタル音声受信部１２は、複数のデジタル音声信号入力端子１１のなかから一つ（あるいは一組）のデジタル音声信号が入力される端子を選択する。その結果、ＤＡＣ装置１０のアナログ音声出力端子１６からは、デジタル音声受信部１２で選択されたデジタル音声信号が、デジタル／アナログ変換回路１５を経てアナログ音声信号に変換されて、出力される。
【００３２】
アンプ装置２０は、デジタル音声信号が入力される複数のデジタル音声信号入力端子２１と、デジタル音声信号入力端子２１が接続されるデジタル音声受信部２２と、音声再生システム１全体およびアンプ装置２０の動作を制御するマイコン２３と、少なくともＤＡＣ装置１０と制御信号を送受信する制御信号端子２４と、を備える。また、アンプ装置２０は、デジタル音声受信部２２の出力信号を出力するデジタル音声出力端子２７と、デジタル音声受信部２２の出力信号をアナログ音声信号に変換するデジタル／アナログ変換回路２５と、アナログ音声信号が入力されるアナログ音声入力端子２６と、デジタル／アナログ変換回路２５からの入力信号とアナログ音声入力端子からの入力信号とを切り替えて出力するアナログ信号セレクタ２８と、アナログ信号セレクタ２８からの出力信号を増幅する増幅回路２９と、増幅回路２９の出力端子に接続するスピーカー端子３０と、を備える。
【００３３】
アンプ装置２０のデジタル音声受信部２２は、マイコン２３から制御されてデジタル音声信号の入力セレクタとして機能する。したがって、例えば、マイコン２３は、複数のデジタル音声信号入力端子２１のなかでＤＶＤプレイヤー３が接続される入力端子を、入力端子「ＤＶＤ」として認識することができる。デジタル音声受信部２２は、複数のデジタル音声信号入力端子２１のなかから一つ（あるいは一組）のデジタル音声信号が入力される端子を選択する。その結果、アンプ装置２０のスピーカー端子３０からは、デジタル音声受信部２２で選択されたデジタル音声信号が、デジタル／アナログ変換回路２５と、アナログ信号セレクタ２８と、増幅回路２９と、を経て増幅されたアナログ音声信号に変換されて、（図示しない）スピーカーへ出力される。
【００３４】
ＤＡＣ装置１０は、ユーザー操作をマイコン１３へ入力する操作回路１７と、マイコン１３が生成する表示情報を表示する表示回路１８と、を備える。また、アンプ装置２０は、ユーザー操作をマイコン２３へ入力する操作回路３１と、マイコン２３が生成する表示情報を表示する表示回路３２とを備える。マイコン２３は、（図示しない）リモートコントローラー、または、いずれかの操作回路、あるいは、ＤＡＣ装置１０のマイコン１３からの操作信号を受けて、ＤＶＤプレイヤー３からのデジタル音声信号が入力されるデジタル音声受信部２２の動作を制御する。ＤＡＣ装置１０の制御信号端子１４と、アンプ装置２０の制御信号端子２４とは、制御信号線８により相互に接続される。
【００３５】
したがって、マイコン１３およびマイコン２３が通信することにより、ＤＡＣ装置１０とアンプ装置２０とが相互に認識して動作する音声再生システム１を構成することができる。制御信号線８は、音声信号線と独立に設ける制御線であっても良く、また、映像／音声信号を伝送する信号線と一体になっているＨＤＭＩのように、音声信号線と一体に構成してもよい。なお、ユーザー操作をマイコン１３または２３へ入力する操作回路と、マイコンが生成する表示情報を表示する表示回路と、は、ＤＡＣ装置１０またはアンプ装置２０のいずれか一方が備えていればよい。
【００３６】
［ＣＤプレイヤー２での再生動作（従来の動作１）］
この音声再生システム１では、ＣＤプレイヤー２がＤＡＣ装置１０に接続されているので、ＣＤプレイヤー２で再生するコンテンツの音声は、ＤＡＣ装置１０の音質に優れるデジタル／アナログ変換回路１５を利用したアナログ音声信号を得ることができる。つまり、ＤＡＣ装置１０が出力するアナログ音声信号をアンプ装置２０で増幅して再生できるので、優れた音質の音声再生が可能になる。
【００３７】
ＣＤプレイヤー２から出力されたデジタル音声信号は、音声信号の接続線４を介して、ＤＡＣ装置１０のデジタル音声信号入力端子１１の一つに入力される。デジタル音声受信部１２は、接続線４が接続された端子を選択して入力されたデジタル音声信号をデジタル／アナログ変換回路１５に入力する。デジタル／アナログ変換回路１５は、アナログ音声出力端子１６から接続線７を介してアナログ音声信号を出力する。ＤＡＣ装置１０のアナログ音声出力端子１６と、アンプ装置２０のアナログ音声入力端子２６と、が接続線７で接続されているので、アンプ装置２０のマイコン２３は、アナログ信号セレクタ２８をアナログ音声入力端子２６からの入力信号を選択するように切り替える。アナログ信号セレクタ２８から出力されるアナログ音声信号は、増幅回路２９で増幅されてスピーカー端子３０から（図示しない）スピーカーへ出力される。
【００３８】
［ＤＶＤプレイヤー３での再生動作（従来の動作２）］
この音声再生システム１では、ＤＶＤプレイヤー３がＤＡＣ装置１０に直接に接続されず、アンプ装置２０に接続されている。したがって、通常の再生動作では、ＤＶＤプレイヤー３で再生するコンテンツの音声は、ＤＡＣ装置１０の音質に優れるデジタル／アナログ変換回路１５を利用せずに、アンプ装置２０のデジタル／アナログ変換回路２５を利用してアナログ音声信号を得ることになる。
【００３９】
ＤＶＤプレイヤー３から出力されたデジタル音声信号は、音声信号の接続線５を介して、アンプ装置２０のデジタル音声信号入力端子２１の一つに入力される。デジタル音声受信部２２は、接続線５が接続された端子を選択して入力されたデジタル音声信号をデジタル／アナログ変換回路２５に入力する。デジタル／アナログ変換回路２５は、アナログ信号セレクタ２８にアナログ音声信号を出力する。アンプ装置２０のマイコン２３は、アナログ信号セレクタ２８をデジタル／アナログ変換回路２５からの入力信号を選択するように切り替える。アナログ信号セレクタ２８から出力されるアナログ音声信号は、増幅回路２９で増幅されてスピーカー端子３０から（図示しない）スピーカーへ出力される。
【００４０】
［ＤＶＤプレイヤー３での再生動作（本発明の動作１）］
この音声再生システム１では、ＤＶＤプレイヤー３がＤＡＣ装置１０に直接に接続されていないものの、上述するように、アンプ装置２０のデジタル音声出力端子２７が、ＤＡＣ装置１０のデジタル音声信号入力端子１１のうちの一つ１１ａに、接続線６により接続されている。したがって、ＤＶＤプレイヤー３で再生するコンテンツの音声についても、ＤＡＣ装置１０の音質に優れるデジタル／アナログ変換回路１５を利用してアナログ音声信号を得ることができる。
【００４１】
ＤＶＤプレイヤー３から出力されたデジタル音声信号は、音声信号の接続線５を介して、アンプ装置２０のデジタル音声信号入力端子２１の一つに入力される。アンプ装置２０のマイコン２３は、デジタル音声受信部２２を制御して、接続線５が接続された端子を選択して、入力されたデジタル音声信号を、デジタル音声出力端子２７に出力する。
【００４２】
アンプ装置２０のデジタル音声出力端子２７は、ＤＡＣ装置１０のデジタル音声信号入力端子１１のうちの一つ１１ａに、接続線６により接続されているので、ＤＶＤプレイヤー３から出力されたデジタル音声信号が、ＤＡＣ装置１０に入力されることになる。アンプ装置２０のマイコン２３と通信するＤＡＣ装置１０のマイコン１３は、デジタル音声受信部１２を制御して端子１１ａを選択するように動作させる。デジタル音声受信部１２は、入力されたデジタル音声信号をデジタル／アナログ変換回路１５に入力する。デジタル／アナログ変換回路１５は、アナログ音声出力端子１６から接続線７を介してアナログ音声信号を出力する。
【００４３】
ＤＡＣ装置１０のアナログ音声出力端子１６と、アンプ装置２０のアナログ音声入力端子２６と、が接続線７で接続されているので、アンプ装置２０のマイコン２３は、アナログ信号セレクタ２８をアナログ音声入力端子２６からの入力信号を選択するように切り替える。アナログ信号セレクタ２８から出力されるアナログ音声信号は、増幅回路２９で増幅されてスピーカー端子３０から（図示しない）スピーカーへ出力される。
【００４４】
このように、本発明の音声再生システム１では、ＤＡＣ装置１０が備える複数のデジタル音声信号入力端子１１並びにアンプ装置２０が備える複数のデジタル音声信号入力端子２１を有効に活用することができる。ＤＶＤプレイヤー３がＤＡＣ装置１０に直接に接続されていない従来の場合には、音質的に優れるＤＡＣ装置１０のデジタル／アナログ変換回路１５を利用するには、ＤＶＤプレイヤー３からの出力である接続線５を、ＤＡＣ装置１０が備える複数のデジタル音声信号入力端子１１にユーザーが接続し直す必要があるが、一方でアンプ装置２０が備える複数のデジタル音声信号入力端子２１が空いてしまって無駄になるという問題が発生する。しかしながら、本実施例の音声再生システム１では、ＤＶＤプレイヤー３からの出力である接続線５を、ＤＡＣ装置１０が備える複数のデジタル音声信号入力端子１１に接続し直す必要がないままに、音質的に優れるＤＡＣ装置１０のデジタル／アナログ変換回路１５を利用することができる。
【００４５】
この音声再生システム１において、ＤＶＤプレイヤー３での再生動作を、本発明の音質的に優れるＤＡＣ装置１０のデジタル／アナログ変換回路１５を利用する場合と、利用しない場合（つまり、アンプ装置２０のデジタル／アナログ変換回路２５を利用する場合）と、は、ユーザー操作により切り替えて動作させることができる。ＤＡＣ装置１０および／またはアンプ装置２０が、ユーザー操作をマイコン２３へ入力する操作回路と、マイコン１３または２３が生成する表示情報を表示する表示回路と、を備えているので、制御信号線８により相互に接続されるマイコン１３およびマイコン２３が協調して、デジタル音声受信部１２および２２と、アナログ信号セレクタ２８とを、上記二つの場合を選択的に切り替えて動作させることができる。
【実施例２】
【００４６】
［ＤＶＤプレイヤー３での再生動作（本発明の動作２）］
次に、本発明の他の好ましい実施形態による制御信号送信装置を含む音声再生システム１について説明する。音声再生システム１を構成するＣＤプレイヤー２、ＤＶＤプレイヤー３、ＤＡＣ装置１０、および、アンプ装置２０の構成は、先の実施例と共通するので説明を省略する。
【００４７】
図２は、上記実施例の音声再生システム１におけるＤＶＤプレイヤー３での再生動作を、音質的に優れるＤＡＣ装置１０のデジタル／アナログ変換回路１５を利用する場合と、利用しない場合と区別して動作する際に、それぞれのマイコン１３および２３における動作制御を説明するフローチャートである。また、図３は、音声再生装置１０および２０での表示制御を説明する図であり、具体的には、ＤＡＣ装置１０の表示回路１８と、アンプ装置２０の表示回路３２と、に表示されるセレクタ表示を模式的に説明する図である。
【００４８】
本実施例のＤＡＣ装置１０のデジタル音声信号入力端子１１では、入力端子名として［ＣＯＡＸ（同軸）１］、［ＣＯＡＸ２］、［ＯＰＴ（光ケーブル）１］、［ＯＰＴ２］、が設けられている。アンプ装置２０のデジタル音声信号入力端子２１でも同様に、入力端子名として［ＣＯＡＸ１］、［ＣＯＡＸ２］、［ＯＰＴ１］、［ＯＰＴ２］、が設けられている。ＣＤプレイヤー２は、接続線４によりデジタル音声信号入力端子１１の［ＣＯＡＸ１］に接続され、ＤＶＤプレイヤー３は、接続線５によりデジタル音声信号入力端子２１の［ＯＰＴ１］に接続され、アンプ装置２０のデジタル音声受信部２２の出力信号を出力するデジタル音声出力端子２７は、接続線６によりデジタル音声信号入力端子１１の一つである［ＯＰＴ２］（＝端子１１ａ）に接続されている。また、ＤＡＣ装置１０のアナログ音声出力端子１６は、接続線７によりアナログ音声入力端子２６の［ＡＮＡＬＯＧ１］に接続される。なお、アンプ装置２０のアナログ音声入力端子２６としては、端子［ＡＮＡＬＯＧ１］の他に端子［ＡＮＡＬＯＧ２］が備わっている。
【００４９】
例えば、ＣＤプレイヤー２から出力されるデジタル音声信号をＤＡＣ装置１０に入力する場合であって、ユーザーがＤＡＣ装置１０の操作回路１７を操作して、ＣＤプレイヤー２をセレクトしたという初期状態を仮定する。図３（ａ）に図示するＤＡＣ装置１０の表示回路１８では、ＣＤプレイヤー２が接続されるデジタル音声信号入力端子１１として［ＣＯＡＸ１］が選択されることが、枠線で囲むことで表示される。一方、アンプ装置２０のデジタル音声出力端子２７が接続するデジタル音声信号入力端子１１ａは、表示回路１８に［ＯＰＴ２］と表示される。
【００５０】
ＣＤプレイヤー２から出力されるデジタル音声信号を、ＤＡＣ装置１０を介してアナログ音声信号に変換してアンプ装置２０に入力する場合には、ユーザーがさらにアンプ装置２０の操作回路３１を操作して、ＤＡＣ装置１０をセレクトする。図３（ｂ）に図示するアンプ装置２０の表示回路３２では、ＤＡＣ装置１０が接続されるアナログ音声入力端子２６として［ＡＮＡＬＯＧ１］が選択されることが、枠線で囲むことで表示される。なお、アンプ装置２０のマイコン２３は、ＤＡＣ装置１０とアンプ装置２０とが接続して動作していないと判断する場合には、アナログ音声入力端子２６［ＡＮＡＬＯＧ１］および［ＡＮＡＬＯＧ２］を操作部３１へのユーザー操作に基づいて選択可能に表示部３２に表示する。
【００５１】
ＤＡＣ装置１０のマイコン１３と、アンプ装置２０のマイコン２３とは、制御信号線８により接続されているので、通信することにより相互に認識して動作する。マイコン１３は、ＤＡＣ装置１０がアンプ装置２０に接続していることを示すデータをマイコン２３に送信する（Ｓ１０１）。マイコン２３は、ＤＡＣ装置１０が接続していることを示すデータを受信する（Ｓ２０１）と、アンプ装置２０のデジタル音声信号入力端子２１およびデジタル音声受信部２２を、ＤＡＣ装置１０の拡張セレクタとして動作させることができることを知らせるデータをＤＡＣ装置１０に送信する（Ｓ２０２）。
【００５２】
ＤＡＣ装置１０のマイコン１３は、アンプからのデータが返信されるのを待機して（Ｓ１０２）、ＤＡＣ装置１０とアンプ装置２０のマイコン２３とが制御信号線８により接続されていない場合など所定時間内にデータが返信されなければ（Ｓ１０２：なし）、本発明のシステム連動による再生動作ができないと判断して処理を終了する（Ｓ１０３）。一方で、所定時間内にマイコン２３からデータが返信されれば（Ｓ１０２：あり）、マイコン１３は、次のステップに進むように処理を行う。
【００５３】
次に、直接にはアンプ装置２０にのみ接続されているＤＶＤプレイヤー３から出力されるデジタル音声信号を、音質的に優れるデジタル／アナログ変換回路１５を備えるＤＡＣ装置１０を介してアナログ音声信号に変換してアンプ装置２０に入力するシステム連動の動作を説明する。この場合には、ＤＡＣ装置１０のマイコン１３は、ＤＡＣ装置１０のデジタル音声受信部１２にアンプ装置２０からのデジタル音声信号入力を指定するセレクタを、表示回路１８に表示する（Ｓ１０４）。具体的には、図３（ｃ）に図示するＤＡＣ装置１０の表示回路１８のように、アンプ装置２０のデジタル音声出力端子２７が接続されるデジタル音声信号入力端子１１ａである［ＯＰＴ２］が選択されるものの、［ＯＰＴ２］ではなくアンプ装置２０に拡張セレクタとして機能していることを意味する［Ａ−ＯＰＴ１］に置き換えられて、表示回路１８に表示される。
【００５４】
図３（ｃ）に図示するように、ＤＡＣ装置１０の表示回路１８には、ＤＡＣ装置１０のセレクタとして選択可能なデジタル音声信号入力端子１１である［ＣＯＡＸ１］、［ＣＯＡＸ２］、［ＯＰＴ１］の他に、仮想的に拡張されたセレクタとして選択可能なアンプ装置２０のデジタル音声信号入力端子２１である［ＣＯＡＸ１］、［ＣＯＡＸ２］、［ＯＰＴ１］、［ＯＰＴ２］が、それぞれ［Ａ−ＣＯＡＸ１］、［Ａ−ＣＯＡＸ２］、［Ａ−ＯＰＴ１］、［Ａ−ＯＰＴ２］として、最初に［Ａ−］を付けて表示される。したがって、ユーザーは、ＤＡＣ装置１０の操作回路１７を操作して、これを［Ａ−ＯＰＴ１］の表示を枠線で囲むように選択操作することで、アンプ装置２０に接続するＤＶＤプレイヤー３を選択することができる。
【００５５】
なお、本実施例の場合には、アンプ装置２０のデジタル音声出力端子２７が接続されるＤＡＣ装置１０のデジタル音声信号入力端子１１ａである［ＯＰＴ２］は、選択可能な入力端子ではなくなる。そこで、図３（ｃ）に図示するように、ＤＡＣ装置１０の表示回路１８には、［ＯＰＴ２］の表示を消して、これに代えて仮想的に拡張されたセレクタとして選択可能なアンプ装置２０の４つの端子名を表示している。つまり、ＤＡＣ装置１０のマイコン１３は、アンプ装置２０のデジタル音声出力端子２７が接続されたデジタル音声信号入力端子１１ａを除いたＤＡＣ装置１０のデジタル音声信号入力端子１１およびアンプ装置２０のデジタル音声信号入力端子２１のなかからいずれか一つを選択可能であることを表示回路１８に表示する。
【００５６】
ＤＡＣ装置１０のマイコン１３は、アンプ装置２０の拡張セレクタを選択するように切り替えた場合は、ＤＡＣ装置１０のセレクタが切り替えられたことを知らせるデータを、アンプ装置２０のマイコン２３に送信する（Ｓ１０５）。アンプ装置２０のマイコン２３は、ＤＡＣ装置１０のセレクタが切り替えられたことを知らせるデータを受信すると（Ｓ２０３）、アンプ装置２０のセレクタを指定された端子に切り替える（Ｓ２０４）。具体的には、図３（ｄ）に図示するアンプ装置２０の表示回路３２のように、ＤＶＤプレイヤー３から出力されるデジタル音声信号を選択する意味で、デジタル音声信号入力端子２１の［ＯＰＴ１］の表示が枠線で囲われるように表示される。加えて、アンプ装置２０のマイコン２３は、デジタル音声信号入力端子２１およびデジタル音声受信部２２を、端子［ＯＰＴ１］を選択するように切り替えて、アナログ信号セレクタ２８を、アナログ音声入力端子２６からの入力信号を選択するように切り替える。
【００５７】
さらに、アンプ装置２０のマイコン２３は、ＤＡＣ装置１０のアナログ音声出力端子１６が接続されるアンプ装置２０のアナログ音声入力端子２６である［ＡＮＡＬＯＧ１］を、操作部３１へのユーザー操作に基づいて選択できないことを、表示部３２に表示する。例えば、図３（ｄ）に図示するアンプ装置２０の表示回路３２のように、［ＡＮＡＬＯＧ１］というセレクタ表示を消去して表示する。図３（ｄ）では、斜体字にした［ＡＮＡＬＯＧ１］に取消線を重ね書きすることでセレクタ表示を消去したことを表示している。もちろん、［ＡＮＡＬＯＧ１］という表示自体を行わないようにしてもよい。
【００５８】
これは、アンプ装置２０のアナログ信号セレクタ２８が、内部のデジタル／アナログ変換回路２５からの入力信号ではなく、アナログ音声入力端子２６からの入力信号を選択するように切り替えて増幅回路２９に出力することにより、ＤＶＤプレイヤー３から出力されるデジタル音声信号を、音質的に優れるデジタル／アナログ変換回路１５を備えるＤＡＣ装置１０を利用して再生するように、この音声再生システム１を動作させるからである。
【００５９】
したがって、ユーザーは、アンプ装置２０のデジタル音声信号入力端子２１に入力されるデジタル音声信号を入力信号に選択した場合に、ＤＡＣ装置１０の音質的に優れるデジタル／アナログ変換回路１５を利用するシステム連動動作になっていることを理解しやすくなるとともに、アナログ信号セレクタ２８の操作が自動化されるので、確実に音声再生を行うことができる。
【００６０】
なお、図３（ｂ）に図示するように、アンプ装置２０のマイコン２３は、ＤＡＣ装置１０とアンプ装置２０とが接続して動作していないと判断する場合には、アナログ音声入力端子２６を操作部３１へのユーザー操作に基づいて選択可能に表示部３２に表示する。この場合には、アンプ装置２０のアナログ信号セレクタ２８は、アナログ音声入力端子２６からの入力信号ではなく、内部のデジタル／アナログ変換回路２５からの入力信号を選択するように切り替えて、増幅回路２９に出力するからである。その結果、ユーザーは、アンプ装置２０のデジタル音声信号入力端子２１に入力されるデジタル音声信号を入力信号に選択した場合に、ＤＶＤプレイヤー３およびアンプ装置２０での通常の使用状態であり、ＤＡＣ装置１０の音質的に優れるデジタル／アナログ変換回路１５を利用するシステム連動動作になっていないことを理解しやすくなる利点がある。
【００６１】
なお、本実施例のＤＡＣ装置１０では、表示回路１８には、［ＯＰＴ２］の表示を消して、これに代えて仮想的に拡張されたセレクタとして選択可能なアンプ装置２０の端子名［Ａ−ＣＯＡＸ１］、［Ａ−ＣＯＡＸ２］、［Ａ−ＯＰＴ１］、［Ａ−ＯＰＴ２］を表示しているが、［ＯＰＴ２］の表示を消す表示方法は、例えば、本実施例でのアンプ装置２０の表示回路３２のようにしてもよく、採用可能な他の方法に基づいていてもよい。もちろん、音質的に優れるデジタル／アナログ変換回路１５を備えるＤＡＣ装置１０を介してアナログ音声信号に変換してアンプ装置２０に入力するシステム連動の動作であることを示すインジケーターを、表示回路１８または３２に設けるようにしてもよい。
【００６２】
なお、上記実施例のＤＡＣ装置１０は、音質的に優れるデジタル／アナログ変換回路１５を備える単体装置であるが、組み合わせるアンプ装置２０が備えるデジタル／アナログ変換回路２５よりも相対的に音質的に優れるデジタル／アナログ変換回路１５を備えていれば、他の音声再生装置であってもよい。また、上記実施例のアンプ装置２０は、音声信号を入力信号とするセレクタ１６を含む増幅装置であるが、映像信号を入力信号とするセレクタを含むＡＶアンプであってもよい。もちろん、ＤＡＣ装置１０またはアンプ装置２０は、ＣＤプレイヤー２、ＤＶＤプレイヤー３またはチューナーといった他のコンテンツ再生装置を内蔵していてもよい。本発明の音声再生装置を含む音声再生システムは、音質的に優れるデジタル／アナログ変換回路１５を備えるＤＡＣ装置１０を含むものであれば、アンプ装置２０がパーソナルコンピューター等の電子計算機に内蔵されていてもよい。また、コンテンツが記録される記録媒体は、記録媒体再生装置とＨＤＭＩ（登録商標）あるいはＵＳＢ等の有線通信または無線通信により接続可能な外部装置に含まれるものあってもよく、クラウドコンピューティングを利用するものであってもよい。また、上記実施例のＤＡＣ装置１０またはアンプ装置２０では、制御部であるマイコン１３または２３は、一つまたは複数のＣＰＵあるいはＤＳＰなどであって、制御処理および音声信号処理を行う演算回路であってもよい。
【産業上の利用可能性】
【００６３】
本発明の制御信号送信装置は、デジタル音声信号含むコンテンツを再生するステレオ装置、あるいは、マルチチャンネルサラウンド音声再生装置のみならず、ディスプレイ等の映像・音響機器、等にも適用が可能である。
【符号の説明】
【００６４】
１        音声再生システム
２        ＣＤプレイヤー
３        ＤＶＤプレイヤー
１０      ＤＡＣ装置
２０      アンプ装置
１１、２１      デジタル音声信号入力端子
１２、２２      デジタル音声受信部
１３、２３      マイコン
１４、２４      制御信号端子
１５、２５      デジタル／アナログ変換回路
１６      アナログ音声出力端子
１７、３１      操作回路
１８、３２      表示回路
２６      アナログ音声入力端子
２７      デジタル音声出力端子２７
２８      アナログ信号セレクタ
２９      増幅回路
３０      スピーカー端子
【図１】
2015154231.tif 000003
【図２】
2015154231.tif 000004
【図３】
2015154231.tif 000005